(57)【要約】【課題】携帯電話の着信応答操作の操作性を向上した通話支援装置を提供する。【解決手段】通話支援装置は、携帯電話と無線通信して、携帯電話に着信があった場合に着信応答指示を行うことが可能である。通話支援装置は、携帯電話から、着信中であることを表す通知を受信した場合、音声入力を受け付けて音声認識を行い、発話内容を特定する音声認識部と、音声認識部が特定した発話内容が所定の発話内容である場合、携帯電話に、応答指示を送信するとともに、その後、携帯電話に、受け付けた音声入力を通話音声として送信する通話制御部とを備える。【選択図】図２
2020061703.tif 000002
【特許請求の範囲】
【請求項１】
携帯電話と無線通信して、前記携帯電話に着信があった場合に着信応答指示を行うことが可能な通話支援装置であって、
前記携帯電話から、着信中であることを表す通知を受信した場合、音声入力を受け付けて音声認識を行い、発話内容を特定する音声認識部と、
前記音声認識部が特定した発話内容が所定の発話内容である場合、前記携帯電話に、着信応答指示を送信するとともに、その後、前記携帯電話に、前記受け付けた音声入力を通話音声として送信する通話制御部とを備える、通話支援装置。
【発明の詳細な説明】
【技術分野】
【０００１】
本発明は、車両等に搭載される通話支援装置に関する。
【背景技術】
【０００２】
車両の運転中に、車内に持ち込んだ携帯電話の着信があったときに、応答操作をしやすくすることが提案されている。例えば特許文献１は、車両が、携帯電話と無線通信する応答機器を備え、携帯電話の着信時には、応答機器がユーザーによるステアリングスイッチ操作に応じて携帯電話に着信応答を指示することを開示している。また、特許文献２のように、各種音声認識技術が提案されており、このような音声認識技術を用いて、ユーザーの音声によって携帯電話に着信応答を指示することも考えられる。
【先行技術文献】
【特許文献】
【０００３】
【特許文献１】特開２０１８−９００８６号公報
【特許文献２】特開２０１８−８７８３８号公報
【発明の概要】
【発明が解決しようとする課題】
【０００４】
上述のような着信応答の指示のため、所定のステアリングスイッチ操作や発話等、固有の操作が必要であり、操作性の向上の余地があった。
【０００５】
本発明は、上記課題を鑑みてなされたものであり、携帯電話の着信応答操作の操作性を向上した通話支援装置を提供することを目的とする。
【課題を解決するための手段】
【０００６】
上記課題を解決するために、本発明の一局面は、携帯電話と無線通信して、携帯電話に着信があった場合に着信応答指示を行うことが可能な通話支援装置であって、携帯電話から、着信中であることを表す通知を受信した場合、音声入力を受け付けて音声認識を行い、発話内容を特定する音声認識部と、音声認識部が特定した発話内容が所定の発話内容である場合、携帯電話に、応答指示を送信するとともに、その後、携帯電話に、受け付けた音声入力を通話音声として送信する通話制御部とを備える、通話支援装置である。
【発明の効果】
【０００７】
本発明は、携帯電話の着信応答操作の操作性を向上した通話支援装置を提供することができる。
【図面の簡単な説明】
【０００８】
【図１】本発明の一実施形態に係る通話支援装置の機能ブロックを示す図
【図２】本発明の一実施形態に係る通話支援装置の処理の例を示すフローチャート
【発明を実施するための形態】
【０００９】
（実施形態）
本発明の一実施形態に係る通話支援装置は、携帯電話の着信中に例えば「もしもし」と音声入力すれば、携帯電話に、着信応答させ、さらにその音声を通話相手に送信させる。これにより、１回の発話によって、携帯電話の着信応答指示と、通話開始後最初の通話相手への発話とを行うことができ操作性に優れる。以下、本実施形態について、図面を参照しながら詳細に説明する。
【００１０】
＜構成＞
図１に、本実施形態に係る通話支援装置１０の機能ブロック図を示す。通話支援装置１０は、車両に搭載され、音声認識部１１、通話制御部１２を含む。通話支援装置１０は、一例として車両に搭載されたマイク２１、スピーカー２２と有線で接続され、車室内に存在する携帯電話３１とＢｌｕｅＴｏｏｔｈ（登録商標）のような近距離無線通信によって通信可能となっている。マイク２１はユーザーの音声を収音し、通話支援装置１０に入力する。また、スピーカー２２は後述するように携帯電話３１による通話相手の音声を出力する。
【００１１】
音声認識部１１は、マイク２１から音声入力を受け付け、入力された音声から、音素列を抽出して発話内容を特定する。
【００１２】
通話制御部１２は、音声認識部１１が特定した発話内容に基づく携帯電話３１の制御や、通話音声の中継処理を行う。
【００１３】
＜処理＞
図２は、通話支援装置１０の処理の一例を示すフローチャートである。図２を参照して、処理の例を説明する。本フローチャートは、通話支援装置１０が携帯電話３１から着信中であることを表す通知を受信することにより開始される。
【００１４】
（ステップＳ１０１）：音声認識部１１は、マイク２１からのユーザーの音声入力を待機する。音声入力を受け付けると、受け付けた音声から、音素列を抽出して発話内容を特定する。
【００１５】
（ステップＳ１０２）：通話制御部１２は、ステップＳ１０１で特定された発話内容が、着信応答指示を表す所定の発話内容と一致するか否かを判定する。着信応答指示を表す所定の発話内容は、予め定められており、例えば「もしもし」である。着信応答指示を表す所定の発話内容は、とくに限定されないが、「もしもし」、「はい」、「こんにちは」のような、通常の通話開始時に最初に発話する内容と同じであることが好ましい。また、着信応答指示を表す所定の発話内容は、複数定められていてもよい。ステップＳ１０１で特定された発話内容が、このような着信応答指示を表す所定の発話内容である場合、ステップＳ１０３に進み、所定の発話内容でない場合、本フローチャートの処理を終了する。
【００１６】
（ステップＳ１０３）：通話制御部１２は、携帯電話３１に着信応答指示を表す通知を送信する。携帯電話３１は、通知を受信して着信応答を行い通話中状態となる。
【００１７】
（ステップＳ１０４）：通話制御部１２は、ステップＳ１０１で音声認識部１１が受け付けた音声を、携帯電話３１に送信する。携帯電話３１は、この音声を通話相手に送信する。なお、この音声は、音声認識部１１がマイク２１から受け付けて録音していたものを、通話制御部１２が音声認識部１１から受け取ってもよいし、音声認識部１１がマイク２１から受け付けるのと並行して、通話制御部１２も受け付けて録音しておいてもよい。上述の例のように、この音声の内容が「もしもし」のような通話開始時の通常の発話内容であれば、通話相手に与える違和感がない。
【００１８】
（ステップＳ１０５）：通話制御部１２は、マイク２１から受け付けるユーザーの音声を、携帯電話３１に送信する。また、通話制御部１２は携帯電話３１から受信する通話相手の音声をスピーカー２２から出力する。このように、通話制御部１２は、携帯電話３１と、車内のマイク２１およびスピーカー２２との間で、通話音声を中継する。また、このあいだ音声認識部１１は、マイク２１から受け付ける音声の発話内容の特定を継続する。
【００１９】
（ステップＳ１０６）：通話制御部１２は、ステップＳ１０５で特定された発話内容が、通話終了指示を表す所定の発話内容と一致するか否かを判定する。通話終了指示を表す所定の発話内容は、予め定められており、例えば「ばいばい」である。通話終了指示を表す所定の発話内容は、とくに限定されないが、「ばいばい」、「さようなら」、「しつれいします」のような、通常、通話を終了する意思がない場合は発話することがなく、通話終了時に最後に発話する内容と同じであることが好ましい。また、通話終了指示を表す所定の発話内容は、複数定められていてもよい。ステップＳ１０５で特定された発話内容が、このような通話終了指示を表す所定の発話内容である場合、ステップＳ１０７に進み、所定の発話内容でない場合、ステップＳ１０５に進み通話音声の中継と発話内容の特定とを継続する。
【００２０】
（ステップＳ１０７）：通話制御部１２は、携帯電話３１に通話終了指示を表す通知を送信する。携帯電話３１は、通知を受信して通話終了処理を行い着信待受状態となる。以上で本フローチャートの処理を終了する。なお、通話終了指示を表すユーザーの音声は、ステップＳ１０５において、携帯電話３１に送信されるので通話相手にも伝わる。上述の例のように、この音声の内容が「ばいばい」のような通話終了時の通常の発話内容であれば、通話相手に与える違和感がない。
【００２１】
以上、通話支援装置１０の処理の例を説明したが、本処理は、携帯電話３１から着信中であることを表す通知を受信するごとに繰り返し実行される。
【００２２】
通話支援装置１０は、スピーカー２２や車内のタッチディスプレイ装置のようなＧＵＩを用いて、上述した制御の内容やその結果をユーザーに提示する制御部を設けてもよい。また、通話支援装置１０は、携帯電話３１だけでなく他の車載機器や車内の情報機器を音声入力に基づいて制御してもよい。また、スピーカー２２は、代わりにイヤホンであってもよい。
【００２３】
＜効果＞
本発明によれば、例えば「もしもし」のような、１回の特定の内容の発話によって、携帯電話の着信応答指示と、通話開始後最初の通話相手への発話とを行うことができる。すなわち、通話開始時の通話相手への通常の発話に、着信応答の指示機能を付与することができる。そのため着信応答のための別途固有の操作が不要となり、着信応答操作の操作性を向上することができる。
【００２４】
また、例えば「ばいばい」のような、通話終了時の通話相手への通常の発話に、通話終了の指示機能を付与することができる。そのため通話終了のための別途固有の操作が不要となり、通話終了操作の操作性を向上することができる。
【００２５】
以上、本発明の実施形態等を説明したが、本発明は、通話支援装置、通話支援装置のコンピュータが実行する通話支援方法、通話支援プログラムおよびこれを記憶したコンピュータ読み取り可能な非一時的な記録媒体、音声認識装置、機器制御装置、車両等として捉えることができる。
【産業上の利用可能性】
【００２６】
本発明は、車両等に搭載される通話支援装置に有用である。
【符号の説明】
【００２７】
１０    通話支援装置
１１    音声認識部
１２    通話制御部
２１    マイク
２２    スピーカー
３１    携帯電話
【図１】
2020061703.tif 000003
【図２】
2020061703.tif 000004